(57)【要約】      （修正有）【課題】アンテナの受信感度を向上させると共に、十分な気密性および防水性を確保できる電子機器を提供する。【解決手段】上下部が開放された腕時計ケース１と、この腕時計ケース１内に配置されたアンテナ６を有する時計モジュール４と、腕時計ケース１の下部に取り付けられた裏蓋３とを備え、この裏蓋３が、アンテナ６に対応する個所に開口部８が設けられた金属製の蓋本体７と、この蓋本体７の開口部８の縁部に直径がナノメートルサイズの凹凸部１５ａを介して接合されて開口部８を塞ぐ非導電性の合成樹脂からなる閉塞部９とを有している。従って、金属製の蓋本体７の開口部８に設けられた合成樹脂製の閉塞部９を通して電波を受信することができるので、アンテナ６の受信感度を向上させることができる。また、金属製の蓋本体７の開口部８の縁部に合成樹脂製の閉塞部９を直径がナノメートルサイズの凹凸部１５ａによって確実にかつ強固に接合することができる。【選択図】図１
2014059264.tif 000002
【特許請求の範囲】
【請求項１】
上下部が開放されたケース本体と、このケース本体内に配置されたアンテナを有するモジュールと、前記ケース本体の下部に取り付けられた裏蓋とを備え、
前記裏蓋は、前記アンテナに対応する個所に凹部と開口部とが設けられた金属製の蓋本体と、この蓋本体の前記凹部と前記開口部との縁部に直径がナノメートルサイズの凹凸部を介して接合されて前記開口部を塞ぐ非導電性の合成樹脂からなる閉塞部とを有していることを特徴とする電子機器。
【請求項２】
請求項１に記載の電子機器において、前記蓋本体と前記閉塞部との接合されている前記縁部の前記裏蓋面内方向の接合幅は、前記開口部の大きさに基づき設定されていることを特徴とする電子機器。
【請求項３】
請求項１または請求項２に記載の電子機器において、前記閉塞部の外面には、装飾層が設けられていることを特徴とする電子機器。
【請求項４】
請求項１〜請求項３のいずれかに記載の電子機器において、前記閉塞部には、前記モジュールを前記ケース本体に収容するための中枠が一体に形成されていることを特徴とする電子機器。
【請求項５】
請求項１〜請求項４のいずれかに記載の電子機器において、前記閉塞部には、前記モジュールを前記ケース本体に対して位置決めするための位置規制部が設けられていることを特徴とする電子機器。
【発明の詳細な説明】
【技術分野】
【０００１】
この発明は、電子腕時計や携帯電話機、携帯情報端末機などのアンテナを有する電子機器に関する。
【背景技術】
【０００２】
例えば、電子腕時計においては、特許文献１に記載されているように、上部開口部に時計ガラスが設けられた上部ケースと、この上部ケースの下部に取り付けられた下部ケースと、これら上部ケースおよび下部ケースの内に配置されたアンテナを有する時計モジュールとを備え、下部ケースにおけるアンテナに対応する個所に開口部を設け、この開口部に電気導電性を有しないプレートを設けた構成のものが知られている。
【先行技術文献】
【特許文献】
【０００３】
【特許文献１】特開２００１−３３５７１号公報
【発明の概要】
【発明が解決しようとする課題】
【０００４】
しかしながら、このような電子腕時計では、下部ケースの開口部に設けられたプレートを、セラミックやガラスなどの電気導電性を有しない材料で形成していることにより、この下部ケースのプレートと上部ケースの時計ガラスとによってアンテナの受信感度を向上させることができても、下部ケースの開口部に電気導電性を有しないプレートを単に設けた構成であるから、十分な接合強度を確保することができず、十分な気密性および防水性を確保することができないという問題がある。
【０００５】
この発明が解決しようとする課題は、アンテナの受信感度を向上させると共に、十分な気密性および防水性を確保することができる電子機器を提供することである。
【課題を解決するための手段】
【０００６】
この発明は、上下部が開放されたケース本体と、このケース本体内に配置されたアンテナを有するモジュールと、前記ケース本体の下部に取り付けられた裏蓋とを備え、前記裏蓋は、前記アンテナに対応する個所に凹部と開口部とが設けられた金属製の蓋本体と、この蓋本体の前記凹部と前記開口部との縁部に直径がナノメートルサイズの凹凸部を介して接合されて前記開口部を塞ぐ非導電性の合成樹脂からなる閉塞部とを有していることを特徴とする電子機器である。
【発明の効果】
【０００７】
この発明によれば、アンテナで電波を受信する際に、金属製の蓋本体の開口部に設けられた非導電性の合成樹脂からなる閉塞部を通して電波を受信することができるので、アンテナの受信感度を向上させることができる。また、金属製の蓋本体の開口部の縁部に非導電性の合成樹脂からなる閉塞部を直径がナノメートルサイズの凹凸部によって確実にかつ強固に接合することができるので、十分な防水性および気密性を確保することができる。
【図面の簡単な説明】
【０００８】
【図１】この発明を電子腕時計に適用した第１実施形態を示した要部の拡大断面図である。
【図２】図１に示された電子腕時計の裏蓋を示し、（ａ）はその上面側を示した拡大斜視図、（ｂ）はその下面側を示した拡大斜視図である。
【図３】図２に示された裏蓋の製造工程を示し、（ａ）は裏蓋の蓋本体を金属で製作した状態を示した要部の拡大断面図、（ｂ）は蓋本体に非導電性の合成樹脂からなる閉塞部をインサート成型によって形成した状態を示した要部の拡大断面図、（ｃ）は蓋本体にインサート成型された閉塞部に装飾層および保護層を順に設けた状態を示した要部の拡大断面図である。
【図４】この発明を電子腕時計に適用した第２実施形態を示した要部の拡大断面図である。
【図５】この発明を電子腕時計に適用した第３実施形態を示した要部の拡大断面図である。
【発明を実施するための形態】
【０００９】
（第１実施形態）
以下、図１〜図３を参照して、この発明を電子腕時計に適用した第１実施形態について説明する。
この電子腕時計は、図１に示すように、腕時計ケース１を備えている。この腕時計ケース１は、金属または合成樹脂からなり、上下に開放された筒状に形成されている。
【００１０】
この腕時計ケース１の上部開口部には、図１に示すように、電波を透過する時計ガラス２がパッキン２ａを介して取り付けられており、腕時計ケース１の下部開口部には、裏蓋３が防水パッキン３ａを介して取り付けられている。また、この腕時計ケース１の内部には、時計モジュール４が中枠５を介して配置されている。
【００１１】
時計モジュール４は、図１に示すように、合成樹脂製のハウジング４ａを有している。このハウジング４ａには、図示しないが、指針を運針する時計ムーブメント、時刻を電気光学的に表示する表示パネルなどの時計機能に必要な各種の部品が設けられている。また、このハウジング４ａには、時刻データを含む標準電波を受信するアンテナ６が設けられている。
【００１２】
中枠５は、図１に示すように、合成樹脂からなり、全体がほぼ筒状に形成されている。この中枠５は、その内部に時計モジュール４のハウジング４ａが装着するように構成されている。また、この中枠５は、ハウジング４ａが装着された状態で、腕時計ケース１内に組み付けられるように構成されている。
【００１３】
裏蓋３は、図１に示すように、アンテナ６に対応する個所を含む領域に開口部８が設けられた金属製の蓋本体７と、この蓋本体７に設けられて開口部８を塞ぐ非導電性の合成樹脂からなる閉塞部９と、この閉塞部９の外面である下面に設けられた装飾層１０と、この装飾層１０の下面に設けられた透明な保護層１１とを有している。
【００１４】
蓋本体７は、図１および図２に示すように、全体が円板状に形成されて腕時計ケース１の下部に取り付けられるように構成されている。すなわち、この蓋本体７の上面には、筒状の突起部１２が形成されている。この筒状の突起部１２の外周面には、雄ねじ１２ａが形成されている。
【００１５】
この場合、腕時計ケース１の内周面における下部には、図１に示すように、蓋本体７の突起部１２が下側から挿入する切欠き部１３が環状に形成されている。この環状の切欠き部１３の内周面には、突起部１２の雄ねじ１２ａが螺合する雌ねじ１３ａが形成されている。
【００１６】
また、この腕時計ケース１の切欠き部１３の外周側に位置する下面には、防水パッキン３ａが装着する装着溝１４が環状に設けられている。この装着溝１４は、その内部に防水パッキン３ａが装着された際に、防水パッキン３ａが下側に突出すように、その深さが防水パッキン３ａの断面形状よりも少し浅く形成されている。
【００１７】
これにより、蓋本体７は、図１に示すように、腕時計ケース１の下部に取り付けられる際に、腕時計ケース１の装着溝１４に防水パッキン３ａを装着し、この状態で蓋本体７の突起部１２を腕時計ケース１の下側から切欠き部１３内に挿入させながら、蓋本体７を回転させると、突起部１２の雄ねじ１２ａが切欠き部１３の雌ねじ１３ａに螺合することにより、腕時計ケース１の下部に取り付けられると共に、蓋本体７の上面が防水パッキン３ａを装着溝１４内に押し付けて防水性を図るように構成されている。
【００１８】
また、この蓋本体７の下面には、図１および図２に示すように、凹部１５が時計モジュール４に対応して設けられている。この凹部１５内には、開口部８が蓋本体７の中心部を中心とする円形状に形成されている。この場合、開口部８は、その上方に時計モジュール４のアンテナ６が対応するように形成されている。また、蓋本体７の凹部１５の内面には、直径がナノメートルサイズの多数の凹凸部１５ａが開口部８の縁部に沿って形成されている。
【００１９】
ここで、ナノメートルサイズとは、１０〜３００ナノメートル（以下、ｎｍと称する。）のサイズをいう。この実施形態の場合、多数の凹凸部１５ａの超微細な穴の直径は、１０〜１００ｎｍのサイズの穴径であり、例えば２０〜３００ｎｍ、２０〜３０ｎｍのサイズの穴径である。また、多数の凹凸部１５ａの超微細な穴の深さは、２０ｎｍ程度である。
【００２０】
一方、閉塞部９は、絶縁性を有する非導電性の合成樹脂からなり、図１および図２に示すように、全体がほぼ円板状に形成され、蓋本体７の凹部１５の内面、つまり開口部８の縁部にナノメートルレベルでの接合技術によって接合されるように構成されている。すなわち、この閉塞部９は、インサート成型によって蓋本体７の凹部１５の内面に直径がナノメートルサイズの多数の凹凸部１５ａを介して接合されている。
【００２１】
この場合、閉塞部９は、射出成形用の合成樹脂が蓋本体７の凹部１５の内面に形成された直径がナノメートルサイズの多数の凹凸部１５ａに食い込んで成形されている。これにより、閉塞部９は、その外周部が蓋本体７の凹部１５の内面に開口部８の縁部に沿って接合されて、開口部８を塞ぐように形成されている。
【００２２】
すなわち、この閉塞部９は、図１に示すように、蓋本体７の凹部１５内から開口部８内に亘って形成され、その上面が蓋本体７の上面と同一面に形成され、下面が蓋本体７の下面よりも上側に位置し、凹部１５の深さよりも浅い状態で形成されている。また、装飾層１０は、フィルムに装飾印刷を施したものであり、閉塞部９の表面にこれを覆って接着されている。
【００２３】
この装飾層１０の表面には、図１に示すように、透明な保護層１１が設けられている。この保護層１１は、その下面が蓋本体７の下面と同一平面になるように形成されている。これにより、裏蓋３は、蓋本体７が腕時計ケース１に取り付けられた際に、閉塞部９が外部から見えることがなく、装飾層１０が保護層１１を通して見えるように構成されている。
【００２４】
次に、このような腕時計ケース１の裏蓋３を製作する場合について説明する。
まず、図３（ａ）に示すように、蓋本体７を金属で製作する。このときには、予め、蓋本体７の上面に円筒状の突起部１２を形成し、この円筒状の突起部１２の外周面に雄ねじ１２ａを形成する。また、この蓋本体７の裏面に円形状の凹部１５（半径Ｒ＋Ｗ）を形成し、この円形状の凹部１５内に円形状の開口部８（半径Ｒ）を形成する。そして、凹部１５（半径Ｒ＋Ｗ）と開口部８（半径Ｒ）の半径の差分Ｗは、開口部８の半径Ｒに対して所定の比率以上（例えば、Ｗ≧０．２Ｒ）となっている。
【００２５】
そして、凹部１５の内面に直径がナノメートルサイズの多数の凹凸部１５ａを形成する。このときには、蓋本体７をアルカリ液に浸漬させて脱脂処理を行い、この後、酸液に浸漬させて中和を図って洗浄する。次いで、蓋本体７を侵食性水溶液または侵食性懸濁液に浸漬させて、蓋本体７の凹部１５の内面および開口部８の内周面に直径がナノメートルサイズの多数の凹凸部１５ａを形成する。
【００２６】
このときには、蓋本体７の外表面を冶具やマスクなどで覆って、蓋本体７の凹部１５の内面および開口部８の内周面のみを露呈させて浸漬させることにより、蓋本体７の凹部１５の内面および開口部８の内周面のみに直径がナノメートルサイズの多数の凹凸部１５ａを形成する。また、この直径がナノメートルサイズの多数の凹凸部１５ａを形成するための侵食性水溶液または侵食性懸濁液としては、ヒドラジン、アンモニア、水溶性アミン類、またはアルカリ土類金属水酸化物などが用いられるが、これに限定されない。
【００２７】
そして、蓋本体７を水洗して乾燥させた後、図３（ｂ）に示すように、インサート成型によって蓋本体７の凹部１５内および開口部８内に非導電性の合成樹脂からなる閉塞部９を形成する。このときには、蓋本体７を射出成形用の金型内に配置し、この状態で射出成形用の非導電性の合成樹脂を金型内に射出する。
【００２８】
すると、金型内に射出された射出成形用の合成樹脂が、蓋本体７の凹部１５の内面および開口部８の内周面に形成された直径がナノメートルサイズの多数の凹凸部１５ａに食い込んだ状態で、蓋本体７の凹部１５内から開口部８内に亘って一体に形成される。これにより、非導電性の合成樹脂からなる閉塞部９が金型によって所定の形状に形成され、この状態で蓋本体７の凹部１５の内面に接合されていることにより、蓋本体７と閉塞部９との間の気密性および防水性が図られている。
【００２９】
この後、金型を離型して金型内から成型品を取り出すことにより、蓋本体７の凹部１５内および開口部８内に非導電性の合成樹脂からなる閉塞部９が接合されて一体に形成された成型品が得られる。この場合、閉塞部９は、図３（ｂ）に示すように、蓋本体７の凹部１５内から開口部８内に亘って形成され、その上面が蓋本体７の上面と同一面に形成され、下面が蓋本体７の下面よりも上側に位置し、凹部１５の深さよりも浅い状態で形成される。
【００３０】
この後、図３（ｃ）に示すように、閉塞部９の下面に、装飾印刷が施されたフィルム製の装飾層１０を接着して、閉塞部９を装飾部１０で覆い隠す。そして、この装飾層１０の下面に透明な保護層１１を設けて、装飾層１０を保護層１１で保護する。これにより、裏蓋３が製作される。
【００３１】
次に、このような裏蓋３を腕時計ケース１の下部に取り付ける場合について説明する。
この場合には、予め、腕時計ケース１の上部開口部に時計ガラス２を取り付けると共に、この腕時計ケース１内に時計モジュール４を中枠５によって装着する。そして、腕時計ケース１の装着溝１４に防水パッキン３ａを装着する。
【００３２】
この状態で、裏蓋３の蓋本体７の突起部１２を腕時計ケース１の下側から切欠き部１３内に挿入させながら、蓋本体７を回転させると、突起部１２の雄ねじ１２ａが切欠き部１３の雌ねじ１３ａに螺合する。すると、金属製の蓋本体７の上面が防水パッキン３ａを装着溝１４内に押し付けて、裏蓋３が腕時計ケース１の下部に取り付けられる。これにより、裏蓋３と腕時計ケース１との間の防水性が図られている。
【００３３】
この状態では、裏蓋３の蓋本体７に形成された凹部１５内に非導電性の合成樹脂からなる閉塞部９が、直径がナノメートルサイズの多数の凹凸部１５ａを介して接合され、蓋本体７と閉塞部９との間の気密性および防水性が図られると共に、この接合された非導電性の合成樹脂からなる閉塞部９が時計モジュール４に組み込まれたアンテナ６の下側に対応する。このため、アンテナ６の受信感度が向上する。
【００３４】
このように、この電子腕時計によれば、上下部が開放された腕時計ケース１と、この腕時計ケース１内に配置されたアンテナ６を有する時計モジュール４と、腕時計ケース１の下部に取り付けられた裏蓋３とを備え、この裏蓋３が、少なくともアンテナ６に対応する個所に開口部８を有する金属製の蓋本体７と、この蓋本体７の開口部８の縁部に直径がナノメートルサイズの凹凸部１５ａを介して接合されて開口部８を塞ぐ非導電性の合成樹脂からなる閉塞部９とを有していることにより、アンテナ６の受信感度を向上させることができると共に、防水性および気密性を十分に確保することができる。
【００３５】
すなわち、この電子腕時計では、アンテナ６で電波を受信する際に、金属製の蓋本体７の開口部８に設けられた非導電性の合成樹脂からなる閉塞部９を通して電波を受信することができるので、アンテナ６の受信感度を向上させることができる。また、金属製の蓋本体７の開口部８の縁部に非導電性の合成樹脂からなる閉塞部９を、直径がナノメートルサイズの凹凸部１５ａによって確実にかつ強固に接合することができるので、防水性および気密性を十分に確保することができる。
【００３６】
この場合、蓋本体７には、時計モジュール４が対応する個所に凹部１５が設けられ、この凹部１５内には開口部８が設けられ、この凹部１５の内面には、直径がナノメートルサイズの凹凸部１５ａが開口部８の縁部に沿って形成され、この凹凸部１５ａが形成された凹部１５の内面には、非導電性の合成樹脂からなる閉塞部９がインサート成型によって接合されていることにより、金属製の蓋本体７に非導電性の合成樹脂からなる閉塞部９を確実にかつ強固に設けることができる。
【００３７】
すなわち、この裏蓋３では、金属製の蓋本体７における凹部１５内に開口部８を形成することにより、凹部１５の内面を閉塞部９の接合面として形成することができるので、この凹部１５の内面に非導電性の合成樹脂からなる閉塞部９をインサート成型によって接合する際に、その接合面積を十分に広く確保することができるので、導電性の合成樹脂からなる閉塞部９を金属製の蓋本体７に確実にかつ強固に設けることができる。
【００３８】
また、この裏蓋３では、閉塞部９の下面に装飾層１０が設けられていることにより、
蓋本体７に接合された閉塞部９がデザイン的に好ましくない状態で形成されていても、装飾層１０によって閉塞部９を覆い隠してデザイン性および装飾性を向上させることができるので、閉塞部９の材料として蓋本体７に接合し易い非導電性の合成樹脂を自由に選択して形成することができる。
【００３９】
この場合、装飾層１０の下面には、透明な保護層１１が設けられていることにより、この透明な保護層１１を通して装飾層１０を見ることができるので、装飾性およびデザイン性を確保することができると共に、この透明な保護層１１によって装飾層１０に傷や汚れが付かないように、装飾層１０を良好に保護することができる。
【００４０】
（第２実施形態）
次に、図４を参照して、この発明を電子腕時計の適用した第２実施形態について説明する。なお、図１〜図３に示された第１実施形態と同一部分には同一符号を付して説明する。
この電子腕時計は、図４に示すように、裏蓋３の閉塞部２０に中枠２１を一体に形成した構成であり、これ以外は第１実施形態とほぼ同じ構成になっている。
【００４１】
この場合、裏蓋３の蓋本体７は、図４に示すように、その上面に凹部２２が中枠２１を含む時計モジュール４に対応して設けられている。この凹部２２内には、第１実施形態と同様、開口部８が時計モジュール４のアンテナ６に対応する個所を含む領域に円形状に形成されている。また、この凹部２２の内面には、第１実施形態と同様、直径がナノメートルサイズの多数の凹凸部１５ａが形成されている。
【００４２】
一方、この凹部２２内には、図４に示すように、非導電性の合成樹脂からなる閉塞部２０が、直径がナノメートルサイズの多数の凹凸部１５ａを介して接合されている。この閉塞部２０は、第１実施形態と同様、凹部２２の内面に接合し易い非導電性の合成樹脂からなり、凹部２２内から開口部８に亘って形成されている。この場合、閉塞部２０は、その上面が蓋本体７の上面と同一平面をなし、下面が開口部８内における深さ方向の中間部に位置するように形成されている。
【００４３】
また、開口部８内に位置する閉塞部２０の下面には、第１実施形態と同様、装飾層１０が設けられている。さらに、この閉塞部９には、図４に示すように、合成樹脂製の中枠２１が一体に形成されている。この中枠２１は、第１実施形態と同様、筒状に形成され、その内部に時計モジュール４のハウジングａが装着するように構成されている。また、この中枠２１は、非導電性の合成樹脂からなる閉塞部２０を蓋本体７にインサート成型する際に、閉塞部９と同時に一体に形成されている。
【００４４】
このような電子腕時計によれば、第１実施形態と同様、アンテナ６で電波を受信する際に、蓋本体７の開口部８に設けられた非導電性の合成樹脂からなる閉塞部２０を通して電波を受信することができるので、アンテナ６の受信感度を向上させることができる。また、蓋本体７の開口部８の縁部である凹部２２の内面に閉塞部２０を、直径がナノメートルサイズの凹凸部１５ａによって確実にかつ強固に接合することができるので、防水性および気密性を十分に確保することができる。
【００４５】
また、この電子腕時計では、閉塞部２０に中枠２１を一体に形成したので、部品点数を削減することができると共に、組み立て作業の簡素化を図ることができる。すなわち、時計モジュール４を中枠２１に組み付け、この状態で裏蓋３を腕時計ケース１に取り付ける際に、時計モジュール４も同時に組み込むことができるので、組み立て作業の簡素化を図ることができ、これにより生産性の向上を図ることができる。
【００４６】
（第３実施形態）
次に、図５を参照して、この発明を電子腕時計の適用した第３実施形態について説明する。この場合にも、図１〜図３に示された第１実施形態と同一部分に同一符号を付して説明する。
この電子腕時計は、図５に示すように、裏蓋３の閉塞部９に位置規制部２５を一体に形成した構成であり、これ以外は第１実施形態とほぼ同じ構成になっている。
【００４７】
すなわち、位置規制部２５は、図５に示すように、蓋本体７の開口部８内に位置する閉塞部９の上面に時計モジュール４に向けて突出して形成されている。この場合、時計モジュール４のハウジング４ａの下面には、位置規制部２５が下側から挿入する位置規制凹部２６が設けられている。また、この位置規制部２５は、閉塞部９を蓋本体７にインサート成型によって形成する際に、これと同時に一体に形成されている。
【００４８】
このような電子腕時計では、第１実施形態と同様の作用効果があるほか、閉塞部９に位置規制部２５が一体に形成されているので、裏蓋３を腕時計ケース１に取り付ける際に、位置規制部２５が時計モジュール４のハウジング４ａに設けられた位置規制凹部２６に挿入することにより、時計モジュール４を腕時計ケース１内に正確に位置決めすることができる。また、この場合にも、位置規制部２５は、閉塞部９を蓋本体７にインサート成型する際に、これと同時に閉塞部９に一体に形成することができるので、その製作が容易にできる。
【００４９】
なお、上述した第１〜第３の各実施形態では、裏蓋３の蓋本体７に筒状の突起部１２を設け、この突起部１２の外周面に雄ねじ１２ａを設け、この突起部１２の雄ねじ１２ａを腕時計ケース１の切欠き部１３の内周面に設けられた雌ねじ１３ａに螺合させるように構成した場合について述べたが、これに限らず、複数のねじ部材によって裏蓋を腕時計ケース１の下面に取り付ける構成であっても良い。
【００５０】
また、上述した第１〜第３の各実施形態では、電子腕時計に適用した場合について述べたが、必ずしも電子腕時計である必要はなく、例えばトラベルウオッチ、目覚まし時計、置き時計、掛け時計などの各種の電子時計に適用することができるほか、携帯電話機や携帯情報端末機などの電子機器にも適用することができる。
【００５１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００５２】
（付記）
請求項１に記載の発明は、  上下部が開放されたケース本体と、このケース本体内に配置されたアンテナを有するモジュールと、前記ケース本体の下部に取り付けられた裏蓋とを備え、
前記裏蓋は、前記アンテナに対応する個所に凹部と開口部とが設けられた金属製の蓋本体と、この蓋本体の前記凹部と前記開口部との縁部に直径がナノメートルサイズの凹凸部を介して接合されて前記開口部を塞ぐ非導電性の合成樹脂からなる閉塞部とを有していることを特徴とする電子機器である。
【００５３】
請求項２に記載の発明は、請求項１に記載の電子機器において、前記蓋本体と前記閉塞部との接合されている前記縁部の前記裏蓋面内方向の接合幅は、前記開口部の大きさに基づき設定されていることを特徴とする電子機器である。
【００５４】
請求項３に記載の発明は、請求項１または請求項２に記載の電子機器において、前記閉塞部の外面には、装飾層が設けられていることを特徴とする電子機器である。
【００５５】
請求項４に記載の発明は、請求項１〜請求項３のいずれかに記載の電子機器において、前記閉塞部には、前記モジュールを前記ケース本体に収容するための中枠が一体に形成されていることを特徴とする電子機器である。
【００５６】
請求項５に記載の発明は、請求項１〜請求項４のいずれかに記載の電子機器において、前記閉塞部には、前記モジュールを前記ケース本体に対して位置決めするための位置規制部が設けられていることを特徴とする電子機器である。
【符号の説明】
【００５７】
１  腕時計ケース
２  時計ガラス
３  裏蓋
４  時計モジュール
４ａ  ハウジング
５、２１  中枠
６  アンテナ
７  蓋本体
８  開口部
９、２０  閉塞部
１０  装飾層
１１  保護層
１５、２２  凹部
１５ａ  直径がナノメートルサイズの凹凸部
２５  位置規制部
２６  位置規制凹部
【図１】
2014059264.tif 000003
【図２】
2014059264.tif 000004
【図３】
2014059264.tif 000005
【図４】
2014059264.tif 000006
【図５】
2014059264.tif 000007